(57)【要約】【課題】冗長な制御を含まないリモートシーケンスデータの作成を可能にする。【解決手段】操作部４０に対する操作に基づいて測定部２１を制御し、測定結果を表示部３０に表示するローカル制御モードと、インタフェース４５を介して外部装置１０から送られてくるリモートシーケンスデータにしたがって測定部２１を制御するリモート制御モードとを有する制御部５０には、ローカル制御モードによる測定の際に操作部４０に対して実行される可能性のある各操作にそれぞれ対応したリモート制御用のコマンドの名前およびその機能説明が記述されたコマンド説明文が予め記憶されているコマンド説明記憶手段５１と、ローカル制御モードによる測定の際に操作部４０に対する操作が行なわれる毎に、その操作に対応したリモート制御用のコマンド説明文をコマンド説明記憶手段５１から読み出して、表示部３０に表示するコマンド説明表示手段５２とが設けられている。【選択図】図１
2016066976.tif 000002
【特許請求の範囲】
【請求項１】
試験対象の移動体端末との間で信号の授受を行ない、指定された測定項目に関する測定を実行する測定部（２１）と、
表示部（３０）と、
操作部（４０）と、
外部装置との間でデータ通信を行なうためのインタフェース（４５）と、
前記操作部に対する操作に基づいて前記測定部を制御し、測定結果を前記表示部に表示するローカル制御モードと、前記インタフェースを介して外部装置から送られてくるリモートシーケンスデータにしたがって前記測定部を制御するリモート制御モードとを有する制御部（５０）とを備えた移動体端末試験装置において、
前記制御部には、
前記ローカル制御モードによる測定の際に前記操作部に対して実行される可能性のある各操作にそれぞれ対応したリモート制御用のコマンドの名前およびその機能説明が記述されたコマンド説明文が予め記憶されているコマンド説明記憶手段（５１）と、
前記ローカル制御モードによる測定の際に前記操作部に対する操作が行なわれる毎に、該操作に対応したリモート制御用のコマンド説明文を前記コマンド説明記憶手段から読み出して、前記表示部に表示するコマンド説明表示手段（５２）とが設けられていることを特徴とする移動体端末試験装置。
【発明の詳細な説明】
【技術分野】
【０００１】
本発明は、携帯電話やスマートフォン等の移動体端末の試験を行なう試験装置において、外部のコンピュータからリモート制御するためのリモートシーケンスの作成を容易にするための技術に関する。
【背景技術】
【０００２】
移動体端末の試験を行なう試験装置は、試験対象の移動体端末との間で基地局を模した通信を行なって呼接続状態とし、移動体端末からの送信信号の品質に関する種々の測定や、移動体端末との間で授受されるメッセージに基づく各種試験を行なっている。
【０００３】
このような機能を有する移動体端末試験装置は、測定者が試験装置本体の操作部の操作を直接行なって試験を行なうローカル制御モード（マニュアルモード）の他に、所定の通信インタフェース（例えばＧＰＩＢ等）を介して接続された外部のコンピュータ（ＰＣ）からのリモート制御によって試験を自動的に行なうリモート制御モードを有している。
【０００４】
リモート制御モードの場合、リモート制御用のコマンドが実行順に記載されたリモートシーケンスデータを予めユーザーが作成しておき、そのリモートシーケンスデータをＰＣから試験装置本体へ送出する必要があり、従来では、移動体端末試験装置のリモート制御に用いるコマンドおよびその機能の詳細などが記載された説明書を参照しながら作成するという煩雑さがあった。
【０００５】
これを解決する技術として、試験装置本体に対する手動操作を、自動的にリモートシーケンスに変換する技術があった（特許文献１）。
【先行技術文献】
【特許文献】
【０００６】
【特許文献１】特開２０１０−２０３９９６号公報
【発明の概要】
【発明が解決しようとする課題】
【０００７】
しかしながら、上記技術は、全ての手動操作が機械的にリモートシーケンスデータに変換されてしまうため、試験に不要な操作についての冗長な制御が多くなり、しかも、リモートシーケンスデータとパラメータとの関連がわかりづらいため、ユーザーが後からリモートシーケンスデータをカスタマイズすることが難しいという問題があった。
【０００８】
本発明は、この問題を解決し、試験に不要な操作に関する冗長な制御を含まないリモートシーケンスデータの作成が可能な移動体端末試験装置を提供することを目的としている。
【課題を解決するための手段】
【０００９】
前記目的を達成するために、本発明の請求項１の移動体端末試験装置は、
試験対象の移動体端末との間で信号の授受を行ない、指定された測定項目に関する測定を実行する測定部（２１）と、
表示部（３０）と、
操作部（４０）と、
外部装置との間でデータ通信を行なうためのインタフェース（４５）と、
前記操作部に対する操作に基づいて前記測定部を制御し、測定結果を前記表示部に表示するローカル制御モードと、前記インタフェースを介して外部装置から送られてくるリモートシーケンスデータにしたがって前記測定部を制御するリモート制御モードとを有する制御部（５０）とを備えた移動体端末試験装置において、
前記制御部には、
前記ローカル制御モードによる測定の際に前記操作部に対して実行される可能性のある各操作にそれぞれ対応したリモート制御用のコマンドの名前およびその機能説明が記述されたコマンド説明文が予め記憶されているコマンド説明記憶手段（５１）と、
前記ローカル制御モードによる測定の際に前記操作部に対する操作が行なわれる毎に、該操作に対応したリモート制御用のコマンド説明文を前記コマンド説明記憶手段から読み出して、前記表示部に表示するコマンド説明表示手段（５２）とが設けられていることを特徴とする。
【発明の効果】
【００１０】
このように構成したので、本発明の移動体端末試験装置では、ローカル制御モードにおいて、操作部に対する操作がなされる毎にその操作に対応したリモート制御用のコマンド名とその機能説明とを含むコマンド説明文が表示部に表示されるので、測定に必要な操作とその操作を実行するためのリモート制御のコマンドとの対応関係およびその機能が明確にわかり、表示されたコマンドを用いて無駄のないリモートシーケンスデータを作成することができる。
【図面の簡単な説明】
【００１１】
【図１】本発明の実施形態の構成図
【図２】実施形態のコマンド説明記憶手段の記憶内容を示す図
【図３】ローカル制御モードにおける測定時の画面の例を示す図
【図４】コマンド説明文の表示例を示す図
【発明を実施するための形態】
【００１２】
以下、図面に基づいて本発明の実施の形態を説明する。
図１は、本発明を適用した移動体端末試験装置２０の構成を示している。
【００１３】
この移動体端末試験装置２０は、測定部２１、表示部３０、操作部４０、インタフェース４５および制御部５０によって構成されている。
【００１４】
測定部２１は、移動体端末１との間で基地局を模した通信を行う疑似基地局装置の機能を有するものであり、データ生成部２２、送信部２３、カプラ２４、受信部２５、データ解析部２６によって構成されている。
【００１５】
データ生成部２２は、移動体端末１との間のリンク接続（呼接続）および試験に必要な各種メッセージを含むベースバンド信号をデータ生成部２２で生成して送信部２３に与える。送信部２３は、入力されたベースバンド信号を予め指定された変調形式による変調処理を行い、その変調処理された信号を、移動体端末１との通信を行なう周波数帯へ変換処理してカプラ２４を介して移動体端末１に与える。
【００１６】
また、受信部２５は、移動体端末１から送信された信号を、カプラ２５を介して受け、送信部２３と逆の周波数変換処理とベースバンドへの復調処理を行い、得られたベースバンド信号をデータ解析部２６に与える。
【００１７】
データ解析部２６は、得られたベースバンド信号に対して予め指定された測定項目に関する解析処理を行なう。
【００１８】
例えば、通信方式がＬＴＥの場合で、指定された測定項目が占有帯域幅（Occupied Bandwidth）であれば、得られたベースバンド信号に対するスペクトラム解析処理（高速フーリエ変換処理）を行い、そのスペクトラム波形を求め、占有帯域幅の値を求める。
【００１９】
また、指定された測定項目が、スペクトラム放射マスク（Spectrum Emission Mask）の場合、前記同様にスペクトラム解析を行い、そのスペクトラム波形を求め、所定のスペクトラムマスクの範囲にあるか否かを判定する。
【００２０】
また、指定された測定項目が隣接チャネル漏洩電力（Adjacent Cannel Power）の場合には、スペクトラム解析を隣接チャネルまで拡げて行い、そのスペクトラム波形を求め、隣接チャネルへの漏洩電力の値を求める。
【００２１】
また、変調品質に関する測定項目として、エラーベクトル振幅（Error vector Magnitude）、位相誤差（Phase Error）、振幅誤差（Magnitude Error）、シンボル点位置（Constellation）が指定されている場合には、変調方式に基づいて得られる基準シンボル点に対するベクトル振幅の誤差、位相誤差、振幅誤差を求める。
【００２２】
また、上記したような測定対象の移動体端末１の送信信号の品質に関する測定項目の他に、シグナリングテストが指定されたとき、移動体端末１との間で授受される各種メッセージを記憶する。
【００２３】
なお、上記測定項目の測定を実行する測定部２１は、制御部５０から与えられた情報（コマンド、パラメータ等）によって制御され、測定によって得られた情報は制御部５０に与えられる。
【００２４】
表示部３０は例えば所定の画素数を有する液晶型表示パネルによって構成され、操作部４０は、表示部３０の画面に重なり合うタッチパネル式の第１操作部４１と、数値入力用のテンキーや数値可変用のロータリーエンコーダ等を含み、キーの押し込み操作やノブの回転操作等の機械的な操作が必要な第２操作部４２とによって構成されている。
【００２５】
第１操作部４１は、人の指等の接触を検知（静電方式あるいは圧電方式のいずれでもよい）するための透明電極（図示せず）が微細なピッチで配列されており、タッチされた位置を特定する情報（タッチ位置情報）を制御部５０に出力する。制御部５０は、タッチ位置情報が、予め設定したタッチ操作領域のいずれに属するかを判定して、そのタッチ操作領域に割当てた項目について必要な処理を行なう。
【００２６】
なお、ここでは機械的操作が必要な第２操作部４２にテンキーやロータリーエンコーダ等を含めているが、テンキーやロータリーエンコーダの画像を表示部３０の画面に表示し、それらに対応する第１操作部４１の位置にタッチ操作領域を設定して、タッチ操作させることで、数値入力や数値変更を行なうこともできる。
【００２７】
インタフェース４５は、外部装置（コンピュータ）１０との間でデータ通信を行なうためのものであり、測定システムなどで周知の規格のＧＢＩＢ等が用いられる。
【００２８】
制御部５０は、移動体端末１に対して行なう試験について必要な各種のコマンドやパラメータの測定部２１への設定を行うとともに、測定部２１で得られた測定結果の表示に関する制御を行なう。
【００２９】
ここで、制御部５０は、操作部４０に対する操作に基づいて測定部２１を制御し、測定結果を表示部３０に表示するローカル制御モードと、インタフェース４５を介して外部装置１０から送られてくるリモートシーケンスデータにしたがって測定部２１を制御するリモート制御モードとを有している。リモート制御モードの場合、基本的には、測定結果のデータは外部装置側に送られるが試験装置本体の表示部３０に表示される場合もある。
【００３０】
前記したように、リモート制御モードで測定を行なう場合、制御部５０は外部装置から送られてくるリモートシーケンスデータに記述されたコマンドとパラメータとを順次解読して、そのコマンドとパラメータに基づいて測定部２１に対する制御を行なう。
【００３１】
このリモートシーケンスデータの作成を容易にするために、実施形態の移動体端末試験装置２０の制御部５０には、コマンド説明記憶手段５１とコマンド説明表示手段５２とが設けられている。
【００３２】
コマンド説明記憶手段５１には、例えば図２に示すように、ローカル制御モードによる測定の際に操作部４０に対して実行される可能性のある各操作Ｋ１、Ｋ２、…にそれぞれ対応したリモート制御用のコマンドの名前Ｃ１、Ｃ２、…およびその機能説明Ｆ１、Ｆ２、…が記述されたコマンド説明文Ｔ１、Ｔ２、…が予め記憶されている。
【００３３】
コマンド説明表示手段５２は、ローカル制御モードによる測定の際に操作部４０に対する操作が行なわれる毎に、その操作がコマンド説明記憶手段５１で規定している操作のいずれに相当するかを調べ、相当する操作Ｋｉに対応したリモート制御用のコマンド説明文Ｔｉをコマンド説明記憶手段５１から読み出して表示部３０に表示する。
【００３４】
この表示形態については任意であるが、その一例を示すと、ローカル制御モードにおいて、図３に示すように、表示部３０の画面左側にタッチ操作で選択可能な複数のボタンＢ１、Ｂ２、…が表示され、その右側に、ある測定項目（この例ではＯＢＷ）に関しての測定結果のグラフが表示されている状態から、操作者が例えばボタンＢ２をタッチ操作（図では矢印カーソルで示す）する。
【００３５】
この操作に対し、制御部５０のコマンド説明表示手段５２は、ボタンＢ２に対する選択操作がコマンド説明記憶手段５１で規定している操作Ｋ１、Ｋ２、…のいずれに相当するかを調べ、ボタンＢ２に対する選択操作が例えば操作Ｋ３に相当しているとすれば、操作Ｋ３に対応したコマンド説明文Ｔ３を読み出して、例えば図４のようにポップアップ表示する。
【００３６】
この表示から、操作者は、ボタンＢ２の操作に対応したコマンドが「Ｃ３」であることおよびその機能説明Ｆ３からコマンドの使用方法（パラメータの有効範囲等）を正確に把握できる。
【００３７】
したがって、ローカル制御モードにおいて、操作部４０に対する操作毎に表示されるコマンドおよび機能説明を確認することで、測定者が所望する自動測定の手順に対応したリモートシーケンスデータの作成（コンピュータによるテキストデータの編集処理）を確実に行なうことができる。
【００３８】
なお、表示部３０に表示されたコマンド説明文は、例えばその表示エリアの隅に表示されたボタンＲをタッチ操作することで消すことができる。
【００３９】
上記実施形態では、タッチパネル方式を採用した移動体端末試験装置に本発明を適用していたが、本発明は表示部と操作部が独立した方式の移動体端末試験装置についても同様に適用でき、またコマンド説明文の表示様式等についても上記実施形態によらず任意である。
【符号の説明】
【００４０】
１……移動体端末、２０……移動体端末試験装置、２１……測定部、２２……データ生成部、２３……送信部、２５……受信部、２６……データ解析部、３０……表示部、４０……操作部、４１……第１操作部、４２……第２操作部、４５……インタフェース、５０……制御部、５１……コマンド説明記憶手段、５２……コマンド説明表示手段
【図１】
2016066976.tif 000003
【図２】
2016066976.tif 000004
【図３】
2016066976.tif 000005
【図４】
2016066976.tif 000006